(57)【特許請求の範囲】
【請求項１】
背景上に、３個以上の複数個のセルが互いに離間した状態で配置され、1個以上のセルが基準色で表示され、残りのセルがターゲット用に前記基準色と判別できたか否かを検査したい、基準色とは色度の異なる参照色で表示され、且つ前記複数のセルがいずれも選択可能となっているカラーマトリックス画面を作成するカラーマトリックス画面作成手段と、
前記被験者の操作による表示画面上の任意のセルの選択を検出するセル検出手段と、
選択されたセルの表示色が参照色の場合には判別できたと判定し、基準色の場合には判別できなかったと判定する判定手段と、
判定結果を基に色度図上の色弁別可能領域と不能領域との境界座標を探索する探索手段と、
を備え、ディスプレイ上で発色表示されたカラーマトリックス画面を被験者に見せて色覚特性を評価することを特徴とする、カラーマトリックスによる色覚特性評価システム。
【請求項２】
請求項１に記載した色覚特性評価システムにおいて、カラーマトリックス画面作成手段では、個々のセルの明るさを均一には設定しないことを特徴とする色覚特性評価システム。
【請求項３】
請求項１または２に記載した色覚特性評価システムにおいて、カラーマトリックス画面作成手段では、複数個の同形状のセルが互いに等間隔で離間した状態で配置されていることを特徴とする色覚特性評価システム。
【請求項４】
請求項１から３のいずれかに記載した色覚特性評価システムにおいて、判定手段では一定時間内にセルの選択を検出しなかった場合には判別できなかったと判定することを特徴とする色覚特性評価システム。
【請求項５】
請求項１から４のいずれかに記載した色覚特性評価システムにおいて、画面表示制御手段はカラーマトリックス画面を一定時間表示した後に別の色度の参照色のカラーマトリックス画面を切り替え表示することを特徴とする色覚特性評価システム。
【請求項６】
請求項５に記載した色覚特性評価システムにおいて、カラーマトリックス画面作成手段では、色度図上の基準色から３種類の混同色中心（Ｐ，Ｄ，Ｔ）のいずれかに向かう半直線を任意の角度（０≦θ＜３６０）で回転させた半直線上の任意の点を参照色に設定することでその半直線の方向の色覚特性を評価することを特徴とする色覚特性評価システム。
【請求項７】
請求項６に記載した色覚特性評価システムにおいて、カラーマトリックス画面作成手段では、θが異なる半直線を複数設定し、それぞれの半直線上の点を参照色に設定することで色度図上における複数の方向の色覚特性を評価することを特徴とする色覚特性評価システム。
【請求項８】
請求項６または７に記載した色覚特性評価システムにおいて、探索手段は、判定手段による判定結果を基に乱数を用いた二分探索法により次に表示する参照色を決定することを特徴とする色覚特性評価システム。
【請求項９】
請求項１から８のいずれかに記載した色覚特性評価システムにおいて、画像表示制御手段はカラーマトリックス画面どうしの表示の間にセルが非表示の非表示画面を介挿表示することを特徴とする色覚特性評価システム。
【請求項１０】
請求項１から９のいずれに記載した色覚特性評価システムにおいて、ディスプレイを赤（Ｒ＝０〜２５５）、緑（Ｇ＝０〜２５５）、青（Ｂ＝０〜２５５）、無彩色（Ｗ＝０〜２５５）の１０２４色で順次発色させるための測色画面作成手段と、その色度データを測色する測色機と、前記測色機で取得された色度データを用いて目的の色度で発色させるための色度値からＲＧＢ階調値への変換式を作成する変換式作成手段とを備え、カラーマトリックス画面作成手段では前記変換式に基づいて色度図上の色度をＲＢＧ階調値に変換することを特徴とする色覚特性評価システム。
【請求項１１】
請求項１から１０のいずれかに記載した色覚特性評価システムにおいて、カラーマトリックス画面作成手段は擬似多階調法に基づいて色情報を作成することを特徴とする色覚特性評価システム。
【請求項１２】
請求項１から１１のいずれかに記載した色覚特性評価システムの各手段をコンピュータにより機能させることを特徴とするプログラム。
【請求項１３】
請求項１から１２のいずれかに記載された色覚特性評価システムの作動方法であって、
二分探索法により順次参照色を決定してカラーマトリックス画面を作成する段階と、
前記被験者の操作による表示画面上の任意のセルの選択を検出するセル検出段階と、
選択されたセルの表示色が参照色の場合には判別できたと判定し、基準色の場合には判別できなかったと判定する判定段階と、
判定結果を基に色度図上の色弁別可能領域と不能領域との境界座標を探索する探索段階と、
表示する参照色が検出限界幅または検出限界下限に入った時点で、その直前に表示した参照色を境界座標に決定する決定段階と、
を有することを特徴とする作動方法。
【発明の詳細な説明】
【技術分野】
【０００１】
本発明は、被験者の色覚を精度高く、短時間にしかも簡単に検査でき、その結果を基に色覚特性を信頼性高く定量的に評価できる色覚特性評価システム、プログラム及び方法に関するものである。
【背景技術】
【０００２】
従来は、被験者に複数の色の点によって数字等のパターンを表現した石原式色覚検査表の印刷物を見せて読取れるか否かの回答をもらうことで、該被験者の色覚特性を評価していた。
しかしながら、上記の手法では、被験者から数字等が読取れるか否かの回答をもらうため、定性的な評価はできたが、読取り難さがどの程度なのかを定量的に評価することはできなかった。
【０００３】
最近では技術の発展により、コンピュータのディスプレイ上に、精度良く色空間を表示することが可能になってきた。それ故、本発明者らは、このディスプレイ上に表示される色空間を利用した検査手法を案出し、既に以下の特許文献として開示している。
この検査手法は、図１１に示すように、色度の異なる２個のセルを並べてディスプレイ上に表示して、被験者に判別できるか否かの回答をもらうものであり、その判別結果に基づいて色度図上に色弁別の判別可能領域と不能領域とを表示することで、被験者の色覚的特性を定量的に評価することを目指した。
【０００４】
【特許文献１】特開２００３−１３５３９９
【特許文献２】特開２００４−３２１６５９
【発明の開示】
【発明が解決しようとする課題】
【０００５】
上記のシステムでの検査精度はある程度は満足できるものであったが、最近では色覚特性の評価を薬、アルコール作用検出や疲労度、目の老化度検出等に応用したいとの期待も出てきており、更に一層検査精度の向上が望まれている。
【課題を解決するための手段】
【０００６】
上記のシステムは、色度の異なる２個のセルを並べたデザインの画面を被験者に見せて、被験者に「色（度）が違うかどうか」を回答してもらっていた。
従って、本発明者らは、被験者は「色が違うと回答すれば、色覚特性は正常であると評価される」ことを意識した上で頭で判断することになり、誤回答が不可避的に含まれてしまっていたのではないかと考え、検査精度を一層高めるために、従来の頭で判断するデザインではなく、見つけるデザインを模索した。
通常視力検査では、「Ｃ」の字を（θ＝０°，９０°，１８０°，２７０°）だけ回転させて表示し、被験者に切れている部分を上下左右から選択させることで見えているか否かを判定していたことを思い出し、先ず、この「Ｃ」の字と背景を、図１２に示すように２つの色で表示することで色の判別に利用することを思いつき、実験したが、結果は思わしくなかった。
鋭意検討の結果、その原因が色自体は見えなくとも色の境界が何らかの形で見えてしまうからではないかとの推論に至り、それを基に、境界が見えても、それを以って色を判別できないように、判別できるか否かを検査したい２つの色を物理的に切り離すデザインを思いつき、本発明を完成させた。
【０００７】
具体的には、請求項１の発明は、背景上に、３個以上の複数個のセルが互いに離間した状態で配置され、１個以上のセルが基準色で表示され、残りのセルがターゲット用に前記基準色と判別できたか否かを検査したい、基準色とは色度の異なる参照色で表示され、且つ前記複数のセルがいずれも選択可能となっているカラーマトリックス画面を作成するカラーマトリックス画面作成手段と、前記被験者の操作による表示画面上の任意のセルの選択を検出するセル検出手段と、選択されたセルの表示色が参照色の場合には判別できたと判定し、基準色の場合には判別できなかったと判定する判定手段と、判定結果を基に色度図上の色弁別可能領域と不能領域との境界座標を探索する探索手段と、を備え、ディスプレイ上で発色表示されたカラーマトリックス画面を被験者に見せて色覚特性を評価することを特徴とする、カラーマトリックスによる色覚特性評価システムである。
【０００８】
請求項２の発明は、請求項１に記載した色覚特性評価システムにおいて、カラーマトリックス画面作成手段では、個々のセルの明るさを均一には設定しないことを特徴とする色覚特性評価システムである。
【０００９】
請求項３の発明は、請求項１または２に記載した色覚特性評価システムにおいて、カラーマトリックス画面作成手段では、複数個の同形状のセルが互いに等間隔で離間した状態で配置されていることを特徴とする色覚特性評価システムである。
【００１０】
請求項４の発明は、請求項１から３のいずれかに記載した色覚特性評価システムにおいて、判定手段では一定時間内にセルの選択を検出しなかった場合には判別できなかったと判定することを特徴とする色覚特性評価システムである。
【００１１】
請求項５の発明は、請求項１から４のいずれかに記載した色覚特性評価システムにおいて、画面表示制御手段はカラーマトリックス画面を一定時間表示した後に別の色度の参照色のカラーマトリックス画面を切り替え表示することを特徴とする色覚特性評価システムである。
【００１２】
請求項６の発明は、請求項５に記載した色覚特性評価システムにおいて、カラーマトリックス画面作成手段では、色度図上の基準色から３種類の混同色中心（Ｐ，Ｄ，Ｔ）のいずれかに向かう半直線を任意の角度（０≦θ＜３６０）で回転させた半直線上の任意の点を参照色に設定することでその半直線の方向の色覚特性を評価することを特徴とする色覚特性評価システムである。
【００１３】
請求項７の発明は、請求項６に記載した色覚特性評価システムにおいて、カラーマトリックス画面作成手段では、θが異なる半直線を複数設定し、それぞれの半直線上の点を参照色に設定することで色度図上における複数の方向の色覚特性を評価することを特徴とする色覚特性評価システムである。
【００１４】
請求項８の発明は、請求項６または７に記載した色覚特性評価システムにおいて、探索手段は、判定手段による判定結果を基に乱数を用いた二分探索法により次に表示する参照色を決定することを特徴とする色覚特性評価システムである。
【００１５】
請求項９の発明は、請求項１から８のいずれかに記載した色覚特性評価システムにおいて、画像表示制御手段はカラーマトリックス画面どうしの表示の間にセルが非表示の非表示画面を介挿表示することを特徴とする色覚特性評価システムである。
【００１６】
請求項１０の発明は、請求項１から９のいずれに記載した色覚特性評価システムにおいて、ディスプレイを赤（Ｒ＝０〜２５５）、緑（Ｇ＝０〜２５５）、青（Ｂ＝０〜２５５）、無彩色（Ｗ＝０〜２５５）の１０２４色で順次発色させるための測色画面作成手段と、その色度データを測色する測色機と、前記測色機で取得された色度データを用いて目的の色度で発色させるための色度値からＲＧＢ階調値への変換式を作成する変換式作成手段とを備え、カラーマトリックス画面作成手段では前記変換式に基づいて色度図上の色度をＲＢＧ階調値に変換することを特徴とする色覚特性評価システムである。
【００１７】
請求項１１の発明は、請求項１から１０のいずれかに記載した色覚特性評価システムにおいて、カラーマトリックス画面作成手段は擬似多階調法に基づいて色情報を作成することを特徴とする色覚特性評価システムである。
【００１８】
請求項１２の発明は、請求項１から１１のいずれかに記載した色覚特性評価システムの各手段をコンピュータにより機能させることを特徴とするプログラムである。
【００１９】
請求項１３の発明は、請求項１から１２のいずれかに記載された色覚特性評価システムの作動方法であって、二分探索法により順次参照色を決定してカラーマトリックス画面を作成する段階と、前記被験者の操作による表示画面上の任意のセルの選択を検出するセル検出段階と、選択されたセルの表示色が参照色の場合には判別できたと判定し、基準色の場合には判別できなかったと判定する判定段階と、判定結果を基に色度図上の色弁別可能領域と不能領域との境界座標を探索する探索段階と、表示する参照色が検出限界幅または検出限界下限に入った時点で、その直前に表示した参照色を境界座標に決定する決定段階と、を有することを特徴とする作動方法である。
【発明の効果】
【００２０】
本発明のカラーマトリックスによる色覚特性評価システムを用いると、精度高く、短時間にしかも簡単に検査でき、結果として色覚特性を信頼性高く定量できる。
【発明を実施するための最良の形態】
【００２１】
以下に、図1から図１１によって本発明の実施の形態に係るカラーマトリックスによる色覚特性評価システムを説明する。
図１は色覚特性評価システムの物理的構成を示すブロック図である。
このシステムは、図１に示すようにシステム全体を制御するＣＰＵ１と、システムを動作させるためのデータを一次的に格納するＲＡＭ３と、システムの起動時に外部記憶装置に記憶されているプログラムを読出し格納するＲＯＭ５、外部記憶装置の代表的な例であるハードディスク７と、入力手段としてのマウス（ポインティングデバイスの一種）９及びキーボード１１と、出力手段としてのディスプレイ１３（ｓＲＧＢディスプレイ）と、測色機１５(例えば、ミノルタ株式会社製のディスプレイカラーアナライザ  ＣＡ−２１０）とを備えている。色覚特性評価プログラム（アプリケーションプログラム）は、ＷＷＷサーバからのダウンロードやＣＤ−ＲＯＭ等の記憶媒体を利用してハードディスク７に格納される。
なお、この実施の形態ではＣＰＵ１等はＰＣによって構成され、それに測色機１５がケーブル接続されているが、専用機により構成されていてもよいことは言うまでもない。
【００２２】
図２は色覚特性評価システムの主な論理的構成を示すブロック図である。
特徴的な手段は、カラーマトリックス画面作成手段と非表示画面作成手段と測色画面作成手段とを含む画面作成手段１７と、作成された画像をディスプレイ１３に出力して表示する画面表示制御手段１８と、マウス９の押下によりセルを検出するセル検出手段１９と、検出されたセルに基づいて判定をする判定手段２１と、参照色を決定するために利用する探索手段２３と、色度からｒｇｂ階調値への変換に用いる変換式を作成する変換式作成手段２５とであり、各手段はＣＰＵ１が色覚特性評価プログラムおよびＯＳに従って必要な処理を実行することによって実現される。
また、特徴的な記憶部としては、カラーマトリックス画面作成用の色情報を含む描画情報を格納する描画ファイル２７とｕ’ｖ’色度図を格納する色度図ファイル２９と、ｕ’ｖ’色度値からＸＹＺ色度値への変換式（公知のもの）とＸＹＺ色度値からｒｇｂ階調値への変換式を格納する変換式ファイル３１とを備える。
【００２３】
次に、この色覚特性評価システムを構成する各手段の機能を、色覚特性評価方法の実施手順に分けて説明する。
Ａ．前処理
（ディスプレイの補正手順）
通常は、ＸＹＺ色度値からｒｇｂ階調値への変換は既存のｓＲＧＢ規格の変換式を用いて行われる。しかしながら、その変換式を用いると発色しようとした色（Ｙ＝０．１５、ＰＷとその直交方向の色：黒四角形）と測色機１５で測色した色（白四角形）の各プロットがズレてしまい、図３（１）に示すように、無彩色（Ｗ）の近傍ではＤＷ上の点と混じってしまう。従って、色覚異常の種類を判別できなくなる。このような発色のズレはディスプレイの固有の特性だけでなく、経時劣化や検査環境（湿度等）によるものである。
上記ズレの発生を防止するために、実際に検査するときに使用するディスプレイや周囲環境を考慮した独自の変換式を以下の通りに作成する。
【００２４】
先ず、暗くした室内で測色機１５がＰＣに接続された状態で、電源をＯＮにする。図４に示すように、Ｙ（＝０．１５）が安定になるには時間がかかるので、安定になった後に測色を開始する。
（１）測色データの取得
ディスプレイ１３を以下の階調で発色させ、測色機１５でＸ，Ｙ，Ｚを測色して１０２４色のデータを取得する。
【表１】
0004759696.tif 000002
【００２５】
そして、取得した１０２４色のデータに基づいて、変換式作成手段２５が以下の演算を実行して変換式を算出する。
（２）バックグラウンドの除去
上記で取得された測色データからバックグランドを除去する。
【表２】
0004759696.tif 000003
【００２６】
（３）回帰分析１
バックグラウンドが除去されたデータに対して、以下の表の単回帰分析を行い、係数を求める。
【表３】
0004759696.tif 000004
【００２７】
（４）回帰分析２
回帰分析１で求めた６個の係数Ｒｘ，Ｒｚ，‥‥，Ｂｚを用いて、更に以下の表の単回帰分析を行う。
【表４】
0004759696.tif 000005
【００２８】
（５）補間関数の作成
上記（２）で定義されるＲY（ｒ），ＧY（ｇ），ＢY（ｂ）の逆関数を、それぞれＲY-1（ｒ），ＧY-1（ｇ），ＢY-1（ｂ）とする。これらはＲY（ｒ），ＧY（ｇ），ＢY（ｂ）を補間して数値的に構成する。
（６）変換式
回帰分析２で得られた係数と切片を用いて、発色したい色度Ｘ，Ｙ，Ｚの色から階調値ｒ，ｇ，ｂを求める変換式は、以下の通りとなる。
【表５】
0004759696.tif 000006
【００２９】
上記の変換式の有効性は、発色しようとした色と測色機１５で測色した色とを比較することにより判定できる。
図３（２）は上記の独自の変換式を用いて発色した場合の結果を示す。この図から分かるように、変換式の有効性は高い。
作成された変換式は、変換式ファイル３１に格納する。
【００３０】
（カラーマトリックス画面のユーザー設定手順）
画面では、背景上に、（ｎ×ｎ）個の同形状のセルが互いに等間隔で離間した状態で配置され、（ｎ2−ｍ）個のセルが基準色で表示され、残りのｍ個のセルを前記基準色と判別できたか否かを検査したい参照色で表示されるレイアウトになっている。
このディスプレイ１３上に表示される設定画面上でのマウス９やキーボード１１を使用した操作により任意に設定できる仕様になっており、設定内容は、描画ファイル２７に格納される。従って、検査の目的に応じてレイアウトを任意に設定できる。
図５に示すカラーマトリックス画面のレイアウトは、セルの数（４×４＝１６個）、視野角（２°）、スリット（１°）、ターゲット数（即ち、参照色の表示数、１個）、Yノイズ（Ｙ＝Ｙ（１±６Ｌｒ）、０＜ｒ（一様乱数）＜１、Ｌ：ｕ’ｖ’色度図上の参照色と基準色の座標距離）に設定されている。なお「６」は適当に設定された値である。この値を大きくすると、参照色と基準色の違いが大きい場合には明るさの変化も大きくなるので、被験者はセルを視認し易くなる。
なお、見易さを考慮して背景は黒色（ｒ＝ｇ＝ｂ＝０）で表示されているが、これもユーザー設定可能に構成してもよい。
【００３１】
（検査内容のユーザー設定手順）
この実施の形態では、ｕ’ｖ’色度図上の無彩色（W）が基準色に設定され、ＰＷ（θ＝０°，９０°，１８０°，２７０°）と、ＤＷ（θ＝０°，９０°，１８０°，２７０°）の８方向の半直線が設定されている。また、後述するように二分探索法により境界座標を決定しているので、ｒｇｂ階調値を考慮して検査限界幅（ｗ）を０．００５、検査限界下限（ｌ）を０．０１にそれぞれ設定されている。
上記の内容は、ディスプレイ１３上に表示される設定画面上でのマウス９やキーボード１１を使用した操作により任意に設定できる仕様になっている。
【００３２】
この実施の形態で使用したＰＣは一般的なものであり、ディスプレイ１３に表示できる階調数は、Ｒ，Ｇ，Ｂそれぞれ２５６（８ビット）である。しかしながら、この実施の形態では二分探索法（binary search）を利用することから、階調数を増やせば二分探索の精度を上げることができる。従って、画像処理技術として確立されている擬似階調表示技法を用いることによって必要なだけ階調数を増やしている。この実施の形態では、２５６段階から１０００段階に増やしている。図６のマックアダム楕円を示した色度図から分かるように、階調数が２５６の場合にはこの楕円を検査することはできないが、この実施の形態では階調数を増やしているので検査できる。
この多階調値に対応して、上記で検査限界幅（ｗ）と検査限界下限（ｌ）が設定されている。なお、検査限界幅（ｗ）と検査限界下限（ｌ）に関しては後で出てくる二分探索の説明のところで更に説明する。
【００３３】
Ｂ．色覚特性の検査手順
（カラーマトリックス画面の順次作成手順）
探索手段２３が色度図ファイル２９を読出して、図7に示すように、ｕ’ｖ’色度図上のＣＲＴ表示可能領域の境界線と半直線の交点（Ｐ0，θ＝０°）と基準色（Ｗ）の間の線分上のいずれかの色（Ｐ1）を参照色に決定し、そのデータとカラーマトリックス画面作成手段１７が描画ファイル２７から読出した描画情報と変換式ファイル３１から読み出した変換式を用いて、図５に示すカラーマトリックス画面を作成し、画面表示制御手段１７によりディプレイ１３に表示する。
その後は探索手段２３が、図７に示すように、二分探索法により順次参照色を決定していく。判定手段２１からの通知結果が「判定できなかった」の場合には、探索手段２３が、次に表示する参照色をＰ1とＰ0の間の点Ｐ2Rに決定し、一方、判定手段２１からの通知結果が「判定できた」の場合には、探索手段２３が、次に表示する参照色をＰ1とＷの間の点Ｐ2Lに決定し、その後は同様にしてカラーマトリックス画面作成手段１７がカラーマトリックス画面を作成し、ディスプレイ１３に表示する。上記では１つの半直線上の参照色について説明しているが、いずれの半直線上でも同じである。
【００３４】
なお、表示する参照色の決定は乱数(平均０．５）を用いて行われており、同じ色が出るのが回避されている。また、セルのＹノイズは設定された範囲内でランダムに表示される。
この実施の形態では、複数の半直線を用いて検査しており、先ず半直線がランダムに選択され、更にその半直線上から参照色が二分探索法により決定されている。
探索は次に標示すべき参照色が検査限界幅（ｗ）か、検査限界下限（ｌ）のいずれかに入った時点で終了し、検査自体も終了する。
【００３５】
（表示画面の切替手順）
画面表示制御手段１８は、カラーマトリックス画面と非表示画面とを交互に切替えながら表示する。図８に示すように、基本周期は、カラーマトリックス画面：４秒、非表示画面：１秒である。但し、カラーマトリックス画面の表示時間中に検出手段がマウスの押下を検出すると、その時点でカラーマトリックス画面から非表示画面に切替えるが、非表示画面をカラーマトリックス画面の基本的な表示時間の残りの時間プラス非表示画面の基本的な時間（１秒）だけ表示する。
このようにカラーマトリックス画面を基本周期を守って表示することで被験者の頭に混乱を起こさせないようにしている。
【００３６】
（被験者による実際の検査手順）
図９のフローチャートに従って説明する。
被験者にカラーマトリックス画面（初期画面）を見せて（ステップＳ１）、1個だけ異なる色（参照色）で表示されたセルを見つけてもらう。この画面のセル領域はマウスの押下を検出する検出領域が重ねて形成されている。被験者が見つけたセルをマウスの押下により選択するとセル検出手段１９がセルを検出し（ステップＳ２）、直ちに画面を非表示画面に切り替える（ステップＳ４）。一方、セルが検出されないときには、制限時間一杯、ここでは4秒間表示した後に（ステップＳ３）、画面を非表示画面に切り替える（ステップＳ４）。その後に判定を行う。判定は、セルを検出した場合にはそのセルが参照色の場合には「判別できた」と判定し、そのセルが基準色の場合は「判別できなかった」と判定する（ステップＳ５）。また、カラーマトリックス画面の表示時間中にセルが検出されなかった場合には「判別できなかった」と判定する（ステップＳ５）。
【００３７】
次に、検索限界幅（ｗ）と検査限界下限（ｌ）に関連して検査を終了するか続行するかを判断し(ステップＳ６）、続行する場合には次のカラーマトリックス画面を表示する。
セル検出手段１９がセルを検出し（ステップＳ２），その結果を判定手段２１に渡す。判定手段２１は選択されたセルが基準色か否かを判定する（ステップＳ５）。判定手法は、カラーマトリックス画面の順次作成手順で説明した通りである。そして、その判定結果に基づいて次のカラーマトリックス画面を作成して表示する。
検査は次に表示すべき参照色が検査限界幅と検査限界下限に入った時点で終了し、その直前の参照色を境界座標に決定する。
【００３８】
図１０（１）は被験者が２０代男性の実験結果であり、図１０（２）は４０代男性の実験結果である。線の両端部が色弁別の境界座標を示している。この結果から２０代男性は強い第二種色覚異常、４０代男性は弱い第二種色覚異常であることが分かる。
なお、いずれの被験者の検査時間も4分弱と短かった。
このように、本発明のシステムは、短時間で検査することができるため、被験者にストレスを与えずに済む。また、本発明のシステムは、マウスを備えたコンピュータシステムにより構成されているので、被験者の回答データをマウスの押下と言った簡単な操作により蓄積でき、しかもその回答を基にその被験者の色覚特性をグラフ等の視認容易な形態で簡単に表示出力することができる。
【００３９】
以上、本発明の実施の形態を説明してきたが、本発明の具体的構成が上記の実施の形態に限定されるものではなく、本発明の要旨から外れない範囲での設計変更があっても本発明に含まれる。
例えば、色度図は被験者の色覚特性を評価することを考慮してｕ’ｖ’色度図を用いているが、理論上はその色度図の使用に限らずに種々の色度図を使用できる。
また、上記実施の形態では、基準色として無彩色が選択されているが、必ずしも無彩色に限定されず、その他の色を選択してもよいことはいうまでもない。
【産業上の利用可能性】
【００４０】
本発明のカラーマトリックスによる色覚特性評価システムは、被験者の色覚を精度高く、短時間にしかも簡単に検査でき、その結果を基に色覚特性を信頼性高く定量的に評価できるので、薬、アルコール作用検出や疲労度、目の老化度検出等、種々の分野への応用の途を開くものであると確信している。
【図面の簡単な説明】
【００４１】
【図１】カラーマトリックスによる色覚特性評価システムの物理的構成を示すブロック図である。
【図２】カラーマトリックスによる色覚特性評価システムの論理的構成を示すブロック図である。
【図３】図３（１）は、既存の変換式を用いた場合の発色しようとした色と、測色された色のプロット図である。図３（２）は、実施の形態で作成した変換式を用いた場合の発色しようとした色と、測色された色のプロット図である。
【図４】電源ＯＮ後のＹ（＝０．１５）の変化図である。
【図５】カラーマトリックス画面である。
【図６】マックアダム楕円を示した色度図である。
【図７】二分探索法の説明図である。
【図８】画面表示サイクル図である。
【図９】検査手順のフローチャートである。
【図１０】図１０（１）は２０代の男性の実験結果図であり、図１０（２）は４０代の男性の実験結果図である。
【図１１】特許文献１，２で提案されている検査画面である。
【図１２】「Ｃ」の字を含むデザインを利用した検査画面である。
【符号の説明】
【００４２】
１    ＣＰＵ                    ３    ＲＡＭ
５    ＲＯＭ                    ７    ハードディスク
９    マウス                  １１    キーボード
１３    ディスプレイ            １５    測色機
１７    画面作成手段            １８    画面表示制御手段
１９    セル検出手段            ２１    判定手段
２３    探索手段                ２５    変換式作成手段
２７    描画ファイル            ２９    色度図ファイル
３１    変換式ファイル
【図１】
0004759696.tif 000007
【図２】
0004759696.tif 000008
【図３】
0004759696.tif 000009
【図４】
0004759696.tif 000010
【図７】
0004759696.tif 000011
【図８】
0004759696.tif 000012
【図９】
0004759696.tif 000013
【図５】
0004759696.tif 000014
【図６】
0004759696.tif 000015
【図１０】
0004759696.tif 000016
【図１１】
0004759696.tif 000017
【図１２】
0004759696.tif 000018